(57)【要約】【課題】  養殖漁場等の水産系施設における水産系使用水中のウイルス等の効果的な防疫（殺菌、減菌、不活化）を可能にした水産系使用水の処理方法を提供する。【解決手段】  水産系使用水１ａ中に、消毒剤として二酸化塩素（ＣｌＯ2）を添加して防疫処理するようにした。【選択図】        図１
2006280212.tif 000002
【特許請求の範囲】
【請求項１】
水産系使用水中に、消毒剤として二酸化塩素を添加して防疫処理するようにしたことを特徴とする水産系使用水の処理方法。
【請求項２】
二酸化塩素は、電解法、化学法又は紫外線照射法のいずれかの一つの方法により生成されるようになっていることを特徴とする請求項１記載の水産系使用水の処理方法。
【請求項３】
水産系使用水が、観賞魚滅菌水、養殖用飼育水又は養殖用疾病治療水のいずれか一つであることを特徴とする請求項１又は２記載の水産系使用水の処理方法。
【請求項４】
使用水中の二酸化塩素濃度が、０．０１ｍｇ／ｌから２．００ｍｇ／ｌの範囲であることを特徴とする請求項１，２又は３記載の水産系使用水の処理方法。
【発明の詳細な説明】
【技術分野】
【０００１】
この出願の発明は、水産系使用水の処理方法に関するものである。
【背景技術】
【０００２】
魚病、中でもコイヘルペスに代表されるようなウイルス性の魚病は、養殖漁場等の水産系施設における飼育魚類の死を招くことから、業界において深刻な問題となっており、その対策法の確立が急がれている。
【０００３】
従来から、この対策として、例えば生体防御機能を利用した予防ワクチンの開発や同ワクチンを使用した治療方法の研究が行われている。また、ほとんどのウイルスが系外からの持ち込みであることから、例えば次亜塩素酸ナトリウム（ＮａＣｌＯ）やオゾン（Ｏ3）による使用水の消毒やウイルスフリーな魚類生育環境の設定コントロール（防疫）なども考えられている（例えば特許文献１，２参照）。
【０００４】
【特許文献１】特開２００３−５２２７５号公報（明細書１−６頁、図１−４）
【特許文献２】特開平８−２３８２３号公報（明細書１−３頁、図１−２）
【発明の開示】
【発明が解決しようとする課題】
【０００５】
しかし、予防ワクチンはウイルスの種類毎に開発する必要があり、接種の方法などの問題から経済的な問題まで相まって、いまだ開発に時間を要しているの現状である。
【０００６】
一方、次亜塩素酸ナトリウム（ＮａＣｌＯ）による消毒は、有機物存在下において付加
反応によりトリハロメタン等の発がん性物質を生成する恐れがある。また、アンモニア性窒素と反応して、クロラミンを生成し、同アンモニア性窒素濃度の約８倍の次亜塩素酸ナトリウムを消費するため、アンモニア性窒素含有水の場合、過剰の次亜塩素酸ナトリウムを注入する必要がある。
【０００７】
また、魚の生育環境の設定コントロールによる防疫方法は、水族館などの観賞魚の世界でこそ１５年程度の実績があるものの、経済効果が求められる養殖漁業の世界では、いまだ実績は不明である。
【０００８】
本願発明は、このような現状に鑑み、有機物存在下においてもトリハロメタンを生成せず、アンモニア性窒素による濃度減少のない二酸化塩素を消毒剤として添加することによって、養殖漁場等の水産系施設における水産系使用水中のウイルス等の効果的な防疫（殺菌、減菌、不活化）を可能にした水産系使用水の処理方法を提供することを目的とするものである。
【課題を解決するための手段】
【０００９】
本願発明は、上記従来の問題を確実に解決し、その目的を達成するために、次のような課題解決手段を備えて構成されている。
【００１０】
（１）  第１の課題解決手段
この発明の第１の課題解決手段は、水産系使用水中に、消毒剤として二酸化塩素を添加して防疫処理するようにしたことを特徴としている。
【００１１】
二酸化塩素（ＣｌＯ2）は、殺菌効果が高い消毒薬である。そして、非常に水に溶けやすい性質がある。
【００１２】
したがって、水産系使用水中に、消毒剤として二酸化塩素（ＣｌＯ2）を魚類の生育に影響のない適切な濃度で添加すると、均一に溶け込んでウィルス等に対して極めて有効な殺菌、減菌、不活化作用が生じ、当該水産系使用水の効果的な再生を図ることができる。
【００１３】
しかも、次亜塩素酸ナトリウムなどと異なって、有害なトリハロメタンを生成しない。
【００１４】
したがって、２次汚染等の問題も生じない。
【００１５】
また、アンモニア性窒素と反応しないため、使用水中にアンモニア性窒素が含有している場合にも、過剰注入の必要がない。
【００１６】
（２）  第２の課題解決手段
この発明の第２の課題解決手段は、上記第１の課題解決手段の構成において、二酸化塩素は、電解法、化学法又は紫外線照射法のいずれか一つの方法により生成されるようになっていることを特徴としている。
【００１７】
二酸化塩素を発生させる方法には、例えば電解法、化学法、紫外線照射法等の各種の方法があり、本願発明では、それらの各々の採用が可能である。
【００１８】
先ず電気分解による方法は、亜塩素酸ナトリウムを原料とし、電気分解することにより生成させることができ、アンモニア性窒素と反応せず、水に均一に溶け込むため、自由な濃度への調整が可能である。
【００１９】
したがって、例えば飼育水循環飼育方式や底面濾過方式では実現できないほどの高いレベルの水質を必要とする魚類の種苗生産場水槽、特に稚仔魚期の飼育用水槽などにおける使用水（減菌水）などにも適している。
【００２０】
また、化学反応を利用する方法には、例えば塩素酸ナトリウム（ＮａＣｌＯ3）を硫酸（Ｈ2ＳＯ4）酸性下で還元する方法、亜塩素酸ナトリウム（ＮａＣｌＯ2）に酸を作用させる方法等の各種の方法があり、いずれも高い生成効率が得られる。
【００２１】
さらに、紫外線照射法の場合、例えば亜塩素酸ナトリウム（ＮａＣｌＯ2）を添加した使用水に対して、例えば紫外線ランプ等により紫外光を照射する。
【００２２】
亜塩素酸ナトリウム（ＮａＣｌＯ2）を添加した使用水に紫外線を照射すると、当該紫外線によって使用水中の亜塩素酸ナトリウム（ＮａＣｌＯ2）が分解されて二酸化塩素（ＣｌＯ2）が発生し、亜塩素酸ナトリウムが低濃度でもウィルス等に対して特に有効な殺菌、減菌、不活化作用を発揮するようになり、当該水産系使用水の一層効果的な再生を図ることができる。
【００２３】
（３）  第３の課題解決手段
この発明の第３の課題解決手段は、上記第１又は第２の課題解決手段の構成において、水産系使用水が、観賞魚滅菌水、養殖用飼育水又は養殖用疾病治療水のいずれか一つであることを特徴としている。
【００２４】
上記二酸化塩素による防疫作用が有効となる水産系使用水としては種々のものが考えられるが、中でも観賞魚滅菌水、養殖用飼育水、養殖用疾病治療水等に対して特に有効である。
【００２５】
（４）  第４の課題解決手段
この発明の第４の課題解決手段は、上記第１，第２又は第３の課題解決手段の構成において、使用水中の二酸化塩素濃度が、０．０１ｍｇ／ｌから２．００ｍｇ／ｌの範囲であることを特徴としている。
【００２６】
最適な使用水中の二酸化塩素濃度は、魚の種類やウィルス等の種類によって異なるが、その殺菌効果の高さを考えると、一般的に見て、０．１ｍｇ／ｌ〜２．００ｍｇ／ｌの極めて低い濃度範囲で十分に効果的であり、有効な殺菌効果を得ながら、しかも魚類の生育には全く影響を与えなくて済むようになる。
【発明の効果】
【００２７】
以上の結果、本願発明の水産系使用水の処理方法によると、養殖漁場等の水産系施設において、ウィルス等の病原菌に対して有効な防疫（殺菌、減菌、不活化）を行ない、水産系使用水の効果的かつ低コストな再生を図ることができるようになる。
【発明を実施するための最良の形態】
【００２８】
（最良の実施の形態）
以下、本願発明の最良の実施の形態に係る例えば養殖漁場等の水産系施設における水産系使用水の処理方法および同処理方法を実施する処理装置の構成について説明する。
【００２９】
先ずこの発明の最良の実施の形態に係る水産系使用水の処理方法および処理装置は、例えば図１に示すように、水産系使用水１ａを貯留した水産系使用水水槽１中の水産系使用水１ａ中に消毒剤として所定量の二酸化塩素（ＣｌＯ2）を添加して防疫（殺菌、減菌、不活化）処理するようにしている。
【００３０】
二酸化塩素（ＣｌＯ2）の添加は、所定の添加装置２を用いてなされ、同添加装置２により二酸化塩素貯留部３に貯留されている二酸化塩素（ＣｌＯ2）を必要な時に必要な量だけ添加する。
【００３１】
この二酸化塩素（ＣｌＯ2）の添加タイミングおよび添加量は、例えば所定のマイコンユニット８によって適切に制御される。
【００３２】
二酸化塩素（ＣｌＯ2）は、上水の消毒にも使用が認められており、安全性が高い消毒薬である。
【００３３】
そして、非常に水に溶けやすい。
【００３４】
したがって、水産系使用水１ａ中に消毒剤として二酸化塩素（ＣｌＯ2）を添加すると、容易に溶け込んで均一に分布し、ウィルス等の魚の病原菌または一般細菌に対して、極めて有効な防疫（殺菌、減菌、不活化）作用が生じ、当該水産系使用水の適正な再生を図ることができる。
【００３５】
また、すでに説明した従来の次亜塩素酸ナトリウム（ＮａＣｌＯ）などと異なって、発がん性のあるトリハロメタンなどを生成せず、使用水１ａ中のアンモニア性の窒素とも反応しにくい。
【００３６】
したがって、２次汚染等の問題も生じない。
【００３７】
また、アンモニア性窒素と反応しないため、使用水中にアンモニア性窒素が含有している場合にも、過剰注入の必要がない。
【００３８】
そして、上記使用水水槽１中の使用水１ａ中に添加される二酸化塩素（ＣｌＯ2）の濃度は、例えば０．１ｍｇ／ｌ〜２．００ｍｇ／ｌの低い範囲に設定して実施される。
【００３９】
最適な使用水中の二酸化塩素（ＣｌＯ2）の濃度は、魚の種類やウィルス等の種類によって異なるが、上記殺菌効果の高さを考えると、一般的に見て、０．１ｍｇ／ｌ〜２．００ｍｇ／ｌの極めて低い濃度範囲で十分に有効であり、有効な殺菌効果を得ながら、しかも魚類の生存には全く影響を与えなくて済むようになる。
【００４０】
ところで、上記消毒剤としての二酸化塩素（ＣｌＯ2）は、電解法、化学法又は紫外線照射法等のいずれかの方法により生成される。
【００４１】
先ず電気分解による方法は、亜塩素酸ナトリウムを原料とし、電気分解することにより生成させることができ、アンモニア性窒素と反応せず、水に均一に溶け込むため、自由な濃度への調整が可能である。
【００４２】
したがって、例えば飼育水循環飼育方式や底面濾過方式では実現できないほどの高いレベルの水質を必要とする魚類の種苗生産場水槽、特に稚仔魚期の飼育用水槽などにおける使用水（減菌水）などにも適している。
【００４３】
また、化学反応を利用する方法には、例えば塩素酸ナトリウム（ＮａＣｌＯ3）を硫酸（Ｈ2ＳＯ4）酸性下で還元する方法、亜塩素酸ナトリウム（ＮａＣｌＯ2）に酸を作用させる方法等の各種の方法があり、いずれも高い生成効率が得られる。
【００４４】
さらに、紫外線照射法の場合、例えば亜塩素酸ナトリウム（ＮａＣｌＯ2）を添加した使用水に対して、例えば紫外線ランプ等により紫外光を照射する。すると、当該紫外光の自然分解作用によって二酸化塩素（ＣｌＯ2）が発生し、亜塩素酸ナトリウム（ＮａＣｌＯ2）自体の殺菌効果も相乗して、そのウィルス等に対する殺菌効果が大きく向上し、水産系使用水１ａの一層効果的な再生を図ることができる。
【００４５】
亜塩素酸ナトリウム（ＮａＣｌＯ2）を添加した使用水に紫外線を照射すると、当該紫外線にによって使用水中の亜塩素酸ナトリウム（ＮａＣｌＯ2）が分解されて二酸化塩素（ＣｌＯ2）が発生し、亜塩素酸ナトリウムが低濃度でもウィルス等に対して特に有効な殺菌、減菌、不活化作用を発揮するようになり、当該水産系使用水の一層効果的な再生を図ることができる。
【００４６】
その場合、例えば上記図１の構成の二酸化塩素貯留部３を亜塩素酸ナトリウム貯留部に変えて、水産系使用水水槽１の水産系使用水１ａ中に直接亜塩素酸ナトリウム（ＮａＣｌＯ2）を添加し、同水産系使用水水槽１中に紫外線ランプ等で紫外光を照射する方法、また、そうではなく、一旦使用水供給ラインの前段側に所定の少容量の使用水貯留槽を設け、同使用水貯留槽に対して亜塩素酸ナトリウム（ＮａＣｌＯ2）を所定量添加することにより所定濃度以上の亜塩素酸ナトリウム濃溶液を形成しておいて、同濃溶液に紫外線ランプの紫外光を照射して二酸化塩素（ＣｌＯ2）を生成させ、その上で添加装置２を介して水産系使用水水槽１内の水産系使用水１ａ中に添加する方法などが任意に採用される。
【００４７】
亜塩素酸ナトリウム（ＮａＣｌＯ2）を添加した使用水に紫外光を照射すると、当該紫外光による自然分解によって当該使用水中に二酸化塩素（ＣｌＯ2）が発生する。そして、同二酸化塩素（ＣｌＯ2）は、上述のようにウィルス等に対して特に有効な殺菌作用を有し、水産系使用水の効果的な再生を図ることができる。
【００４８】
しかし、紫外光照射による二酸化塩素（ＣｌＯ2）の発生効率を考えると、水量の多い水槽１内の水産系使用水中に亜塩素酸ナトリウム（ＮａＣｌＯ2）を添加してからよりも、高濃度の所定量の水溶液状態で、紫外光を照射する方が好ましく、そのようにして効率良く二酸化塩素（ＣｌＯ2）を発生させてから、水槽１内の水産系使用水１ａ中に添加する方が殺菌効果も高い。
【００４９】
さらに、同亜塩素酸ナトリウム（ＮａＣｌＯ2）を分解させる紫外線発生手段としては、何も上記紫外線ランプ等の人工的な光源には限らない。
【００５０】
例えば特に、強い紫外光成分を有する太陽光を用いて分解させるようにしてもよい。そのようにすると、無駄な電力消費を招くことなく、より低コストで効率良く二酸化塩素（ＣｌＯ2）を生成させることができる。
【００５１】
（その他の最良の実施の形態）
なお、以上の実施の形態では、水産系使用水１ａの一例として養殖漁業用生育水を例にとって説明したが、本願発明の水産系使用水の処理方法を適用可能な水産系使用水としては、その他にも種苗用滅菌水や養殖用疾病治療水など各種のものがあげられる。
【図面の簡単な説明】
【００５２】
【図１】本願発明の最良の実施の形態に係る水産系使用水の処理方法および同処理方法を実施する処理装置の構成を示すブロック図である。
【符号の説明】
【００５３】
１は水産系使用水槽、１ａは水産系使用水、２は添加装置、３は二酸化塩素貯留部、８はマイコンユニットである。
【図１】
2006280212.tif 000003